(57)【特許請求の範囲】
【請求項１】
所定のエリア内に配置された複数の入金機と、
これら複数の入金機に装填されるとともに、個別の監視用カセットＩＤ情報を有するＲＦＩＤインレットがそれぞれ取り付けられた複数の現金カセットと、
前記複数の現金カセットのうち取り出す現金カセットの入力用カセットＩＤ情報が入力される管理機と、
前記エリアの出入口近傍に設けられ前記現金カセットのＲＦＩＤインレットから監視用カセットＩＤ情報を読み取るゲート用ＲＦＩＤリーダと、
前記出入口のドアをロックするドアロック手段と、
前記ゲート用ＲＦＩＤリーダで検出した監視用カセットＩＤ情報から、前記管理機に入力された入力用カセットＩＤ情報に対応しない監視用カセットＩＤ情報を確認した場合に、前記ドアロック手段で前記ドアをロック状態とする制御手段とを有することを特徴とする現金カセット監視システム。
【請求項２】
警報を発生する警報手段を有し、
前記制御手段は、前記ゲート用ＲＦＩＤリーダで検出した監視用カセットＩＤ情報から、前記管理機に入力された入力用カセットＩＤ情報に対応しない監視用カセットＩＤ情報を確認した場合に、前記警報手段に警報を発生させることを特徴とする請求項１記載の現金カセット監視システム。
【請求項３】
前記管理機は、認証手段を有しており、該認証手段で適正な認証が行われた場合に限り、持ち出す前記現金カセットの入力用カセットＩＤ情報の入力を許可することを特徴とする請求項１または２記載の現金カセット監視システム。
【請求項４】
前記複数の入金機のそれぞれのカセット装填部には、装填される前記現金カセットの前記ＲＦＩＤインレットから監視用カセットＩＤ情報を読み取り可能な装填部ＲＦＩＤリーダが設けられており、且つ、前記複数の入金機と前記管理機とは通信可能とされていることを特徴とする請求項１乃至３のいずれか一項記載の現金カセット監視システム。
【請求項５】
前記管理機は、入力用カセットＩＤ情報として前記現金カセットを取り出す入金機の個別の入金機ＩＤ情報と全指定の選択が入力されると、当該入金機に装填されているすべての前記現金カセットの前記ＲＦＩＤインレットから前記装填部ＲＦＩＤリーダで監視用カセットＩＤ情報を読み取ることを特徴とする請求項４記載の現金カセット監視システム。
【請求項６】
前記ゲート用ＲＦＩＤリーダは、作業者の作業者ＩＤ情報を読み取り可能であり、
前記ゲート用ＲＦＩＤリーダで監視用カセットＩＤ情報を読み取った場合に、該監視用カセットＩＤ情報に、該監視用カセットＩＤ情報の読み取りに関連して読み取った作業者ＩＤ情報を関連付けして記憶する記憶手段を有することを特徴とする請求項１乃至５のいずれか一項記載の現金カセット監視システム。
【請求項７】
前記ゲート用ＲＦＩＤリーダは、作業者の作業者ＩＤ情報を読み取り可能であり、
前記制御手段は、前記ゲート用ＲＦＩＤリーダで監視用カセットＩＤ情報を読み取った場合に、該監視用カセットＩＤ情報の読み取りに関連して前記ゲート用ＲＦＩＤリーダで作業者ＩＤ情報を読み取れない場合に、前記ドアロック手段で前記ドアをロック状態とすることを特徴とする請求項１乃至６のいずれか一項記載の現金カセット監視システム。
【請求項８】
前記管理機は、作業者の作業者ＩＤ情報を読み取り可能な作業者登録用ＲＦＩＤリーダを有しており、
入力された入力用カセットＩＤ情報と、該入力用カセットＩＤ情報の入力に関連して前記作業者登録用ＲＦＩＤリーダで読み取られた作業者ＩＤ情報とを関連付けして事前登録する記憶手段を有することを特徴とする請求項１乃至５のいずれか一項記載の現金カセット監視システム。
【請求項９】
前記ゲート用ＲＦＩＤリーダは、作業者の作業者ＩＤ情報を読み取り可能であり、
前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが事前登録した内容と不一致の場合に、前記ドアロック手段で前記ドアをロック状態とすることを特徴とする請求項８記載の現金カセット監視システム。
【請求項１０】
警報を発生する警報手段を有し、
前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが事前登録した内容と不一致の場合に、前記警報手段に警報を発生させることを特徴とする請求項９記載の現金カセット監視システム。
【請求項１１】
前記ゲート用ＲＦＩＤリーダが、前記出入り口への入出方向に沿って複数配置されていることを特徴とする請求項１乃至１０のいずれか一項記載の現金カセット監視システム。
【発明の詳細な説明】
【技術分野】
【０００１】
本発明は、現金を現金カセットに入れて運搬する場合に用いて好適な現金カセット監視システムに関する。
【背景技術】
【０００２】
例えば、百貨店、大規模スーパーマーケット等においては、各売り場の売上金の入金管理を行うために、管理エリアに複数台の入金機を設置して、各店舗から適宜のタイミングで売上金を適宜の入金機に入金することが行われている。このシステムでは、別途警備会社の担当者が、適宜のタイミングで入金機から現金を回収する作業を行うことになるが、このような作業を安全かつ簡単に行うために、入金機から現金カセットごと現金を回収し、代わりに空の現金カセットを入金機に装填する技術がある（例えば特許文献１参照）。
【特許文献１】特開平９−１６６９１号公報
【発明の開示】
【発明が解決しようとする課題】
【０００３】
上記のように入金機から現金カセットを回収する際には、その持ち出し管理を行う必要があるが、このような持ち出し管理を行う場合に、管理データと実際に持ち出す現金カセットとが整合していないと、管理上問題が発生してしまう。
【０００４】
したがって、本発明は、所定のエリアに設置された複数の入金機から選択的に現金カセットを持ち出す際に、入力された管理データと整合しない状態で現金カセットが持ち出されることを防止できる現金カセット監視システムの提供を目的とする。
【課題を解決するための手段】
【０００５】
上記目的を達成するために、請求項１に係る発明は、所定のエリア内に配置された複数の入金機と、これら複数の入金機に装填されるとともに、個別の監視用カセットＩＤ情報を有するＲＦＩＤインレットがそれぞれ取り付けられた複数の現金カセットと、前記複数の現金カセットのうち取り出す現金カセットの入力用カセットＩＤ情報が入力される管理機と、前記エリアの出入口近傍に設けられ前記現金カセットのＲＦＩＤインレットから監視用カセットＩＤ情報を読み取るゲート用ＲＦＩＤリーダと、前記出入口のドアをロックするドアロック手段と、前記ゲート用ＲＦＩＤリーダで検出した監視用カセットＩＤ情報から、前記管理機に入力された入力用カセットＩＤ情報に対応しない監視用カセットＩＤ情報を確認した場合に、前記ドアロック手段で前記ドアをロック状態とする制御手段とを有することを特徴としている。
【０００６】
請求項２に係る発明は、請求項１に係る発明において、警報を発生する警報手段を有し、前記制御手段は、前記ゲート用ＲＦＩＤリーダで検出した監視用カセットＩＤ情報から、前記管理機に入力された入力用カセットＩＤ情報に対応しない監視用カセットＩＤ情報を確認した場合に、前記警報手段に警報を発生させることを特徴としている。
【０００７】
請求項３に係る発明は、請求項１または２に係る発明において、前記管理機は、認証手段を有しており、該認証手段で適正な認証が行われた場合に限り、持ち出す前記現金カセットの入力用カセットＩＤ情報の入力を許可することを特徴としている。
【０００８】
請求項４に係る発明は、請求項１乃至３のいずれか一項に係る発明において、前記複数の入金機のそれぞれのカセット装填部には、装填される前記現金カセットの前記ＲＦＩＤインレットから監視用カセットＩＤ情報を読み取り可能な装填部ＲＦＩＤリーダが設けられており、且つ、前記複数の入金機と前記管理機とは通信可能とされていることを特徴としている。
【０００９】
請求項５に係る発明は、請求項４に係る発明において、前記管理機は、入力用カセットＩＤ情報として前記現金カセットを取り出す入金機の個別の入金機ＩＤ情報と全指定の選択が入力されると、当該入金機に装填されているすべての前記現金カセットの前記ＲＦＩＤインレットから前記装填部ＲＦＩＤリーダで監視用カセットＩＤ情報を読み取ることを特徴としている。
【００１０】
請求項６に係る発明は、請求項１乃至５のいずれか一項に係る発明において、前記ゲート用ＲＦＩＤリーダは、作業者の作業者ＩＤ情報を読み取り可能であり、前記ゲート用ＲＦＩＤリーダで監視用カセットＩＤ情報を読み取った場合に、該監視用カセットＩＤ情報に、該監視用カセットＩＤ情報の読み取りに関連して読み取った作業者ＩＤ情報を関連付けして記憶する記憶手段を有することを特徴としている。
【００１１】
請求項７に係る発明は、請求項１乃至６のいずれか一項に係る発明において、前記ゲート用ＲＦＩＤリーダは、作業者の作業者ＩＤ情報を読み取り可能であり、前記制御手段は、前記ゲート用ＲＦＩＤリーダで監視用カセットＩＤ情報を読み取った場合に、該監視用カセットＩＤ情報の読み取りに関連して前記ゲート用ＲＦＩＤリーダで作業者ＩＤ情報を読み取れない場合に、前記ドアロック手段で前記ドアをロック状態とすることを特徴としている。
【００１２】
請求項８に係る発明は、請求項１乃至５のいずれか一項に係る発明において、前記管理機は、作業者の作業者ＩＤ情報を読み取り可能な作業者登録用ＲＦＩＤリーダを有しており、入力された入力用カセットＩＤ情報と、該入力用カセットＩＤ情報の入力に関連して前記作業者登録用ＲＦＩＤリーダで読み取られた作業者ＩＤ情報とを関連付けして事前登録する記憶手段を有することを特徴としている。
【００１３】
請求項９に係る発明は、請求項８に係る発明において、前記ゲート用ＲＦＩＤリーダは、作業者の作業者ＩＤ情報を読み取り可能であり、前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが事前登録した内容と不一致の場合に、前記ドアロック手段で前記ドアをロック状態とすることを特徴としている。
【００１４】
請求項１０に係る発明は、請求項９に係る発明において、警報を発生する警報手段を有し、前記制御手段は、前記ゲート用ＲＦＩＤリーダで監視用カセットＩＤ情報を読み取った場合に、該監視用カセットＩＤ情報と、該監視用カセットＩＤ情報の読み取りに関連して前記ゲート用ＲＦＩＤリーダで読み取った作業者ＩＤ情報との組み合わせが事前登録した内容と不一致の場合に、前記警報手段に警報を発生させることを特徴としている。
【００１５】
請求項１１に係る発明は、請求項１乃至１０のいずれか一項に係る発明において、前記ゲート用ＲＦＩＤリーダが、前記出入り口への入出方向に沿って複数配置されていることを特徴としている。
【発明の効果】
【００１６】
請求項１に係る発明によれば、所定のエリア内に設置された複数の入金機の中から所定の現金カセットを持ち出すに当たって、持ち出すべき所定の現金カセットの入力用カセットＩＤ情報を管理機に入力する。そして、現金カセットを持ち出そうとゲート用ＲＦＩＤリーダに近づくと、持ち出そうとした現金カセットの監視用カセットＩＤ情報をゲート用ＲＦＩＤリーダが読み取る。制御手段は、ゲート用ＲＦＩＤリーダで検出した監視用カセットＩＤ情報から、管理機に入力された入力用カセットＩＤ情報に対応しない監視用カセットＩＤ情報を確認した場合に、ドアロック手段でドアをロック状態とする。このように出入口のドアをロックして、管理機に入力された入力用カセットＩＤ情報に対応する監視用カセットＩＤ情報を有する現金カセットではない現金カセットの持ち出しを規制することになる。したがって、複数の入金機から選択的に現金カセットを持ち出す際に、入力された管理データと整合しない状態で現金カセットがエリアから持ち出されることを防止できる。
【００１７】
請求項２に係る発明によれば、制御手段は、ゲート用ＲＦＩＤリーダで検出した監視用カセットＩＤ情報から、管理機に入力された入力用カセットＩＤ情報に対応しない監視用カセットＩＤ情報を確認した場合に、警報手段に警報を発生させるため、入力された管理データと整合しない状態で現金カセットを持ち出そうとしていることを警報でも知らせることができる。
【００１８】
請求項３に係る発明によれば、管理機は認証手段で適正な認証が行われた場合に限り、持ち出す現金カセットの入力用カセットＩＤ情報の入力を許可するため、認証手段で適正な認証が行われない場合にはいずれの現金カセットも持ち出し不可となる。これにより、例えば、持ち出し作業者よりも上位の管理者の認証を義務づければ、現金カセットの持ち出しの管理者によるチェックが可能となる。
【００１９】
請求項４に係る発明によれば、複数の入金機のそれぞれのカセット装填部に設けられた装填部ＲＦＩＤリーダが、装填される現金カセットのＲＦＩＤインレットから監視用カセットＩＤ情報を読み取ると、入金機はこの監視用カセットＩＤ情報を管理機に通信することができる。よって、入力用カセットＩＤ情報と監視用カセットＩＤ情報とが予め関連づけられていなくても、持ち出す際に管理機にいずれの入金機のいずれのカセット装填部の現金カセットを取り出すかを入力すれば、持ち出すべき実際の現金カセットの監視用カセットＩＤ情報を入力用カセットＩＤ情報として入力することができる。
【００２０】
請求項５に係る発明によれば、入力用カセットＩＤ情報として現金カセットを取り出す入金機の個別の入金機ＩＤ情報と全指定の選択が入力されると、管理機は、この入金機ＩＤ情報を有する入金機のカセット装填部に設けられた装填部ＲＦＩＤリーダが、この入金機に装填されているすべての現金カセットのＲＦＩＤインレットから監視用カセットＩＤ情報を読み取ることになり、入金機はこの監視用カセットＩＤ情報を管理機に送信する。よって、入力用カセットＩＤ情報と監視用カセットＩＤ情報とが予め関連づけられていなくても、管理機に入金機ＩＤ情報を入力すれば、この入金機ＩＤ情報を有する入金機に装填されたすべての現金カセットの監視用カセットＩＤ情報を自動的に入力用カセットＩＤ情報として入力することができる。したがって、入金機ＩＤ情報を入力すれば良いため、入力作業が容易となる。
【００２１】
請求項６に係る発明によれば、ゲート用ＲＦＩＤリーダで監視用カセットＩＤ情報を読み取った場合に、記憶手段が、この監視用カセットＩＤ情報に、監視用カセットＩＤ情報の読み取りに関連してゲート用ＲＦＩＤリーダで読み取った作業者ＩＤ情報を関連付けして記憶するため、持ち出し作業者を自動的に記憶できる。
【００２２】
請求項７に係る発明によれば、ゲート用ＲＦＩＤリーダで監視用カセットＩＤ情報を読み取った場合に、制御手段が、この監視用カセットＩＤ情報の読み取りに関連してゲート用ＲＦＩＤリーダで作業者ＩＤ情報を読み取れない場合に、ドアロック手段でドアをロック状態とするため、持ち出し作業者が認識できない場合の現金カセットの持ち出しを規制できる。
【００２３】
請求項８に係る発明によれば、管理機に入力された入力用カセットＩＤ情報と、この入力用カセットＩＤ情報の入力に関連して作業者登録用ＲＦＩＤリーダで読み取られた作業者ＩＤ情報とを関連付けして記憶手段に事前登録するため、持ち出し作業者を自動的に記憶できる。
【００２４】
請求項９に係る発明によれば、ゲート用ＲＦＩＤリーダで監視用カセットＩＤ情報を読み取った場合に、この監視用カセットＩＤ情報と、その読み取りに関連してゲート用ＲＦＩＤリーダで読み取った作業者ＩＤ情報との組み合わせが、事前登録した内容と対応しない場合に、制御手段が、ドアロック手段でドアをロック状態とするため、事前登録した内容と対応しない場合の持ち出しを規制できる。
【００２５】
請求項１０に係る発明によれば、ゲート用ＲＦＩＤリーダで監視用カセットＩＤ情報を読み取った場合に、この監視用カセットＩＤ情報と、その読み取りに関連してゲート用ＲＦＩＤリーダで読み取った作業者ＩＤ情報との組み合わせが、事前登録した内容と対応しない場合に、制御手段が、警報手段に警報を発生させるため、警報でも知らせることができる。
【００２６】
請求項１１に係る発明によれば、ゲート用ＲＦＩＤリーダが、出入口への入出方向に沿って複数配置されているため、現金カセットの持ち出しであるか持ち込みであるか、移動方向がわかり、例えば持ち出し時にのみ持ち出しの監視制御を行うことができる。
【発明を実施するための最良の形態】
【００２７】
本発明の一実施形態の現金カセット監視システムを図面を参照して以下に説明する。
図１は、百貨店、大規模スーパーマーケット等において各売り場の売上金の入金管理を行うために設置された入金室（所定のエリア）１１を示すものである。この入金室１１は、四方が側壁１２ａ〜１２ｄで囲まれて構成されており、所定の側壁１２ａのみに一カ所の出入口１３が形成されていて、この出入口１３には出入口１３を開閉するドア１４が取り付けられている。よって、入金室１１は一カ所設けられたドア１４が閉じられた状態では人の出入りが不可とされ、このドア１４が開かれた状態でのみ人の出入りが可能とされている。このドア１４には、これを閉状態でロックする電磁駆動式のドアロック装置（ドアロック手段）１５が設けられている。
【００２８】
入金室１１内には、売上金を入金するための入金機１８が複数台設置されている。すべての入金機１８には、他の入金機１８と識別するための個別の入金機ＩＤ情報（具体的には入金機識別番号）が設定されている。
【００２９】
各入金機１８は、機外から投入された貨幣を計数して収納するものであり、それぞれの内部には、貨幣を収納する金庫型の現金カセット２０を着脱可能に装填させるカセット装填部２１が複数設けられている。各現金カセット２０は、入金室１１内のすべての入金機１８のすべてのカセット装填部２１に対し着脱可能であり、装填時に自動的に入金機１８に対し現金を受け入れ可能となり、取り外し時には現金の取り出しを規制することになって、さらに、取り外した状態でも別途のキーで現金の取り出しが可能となる構造になっている。現金カセット２０は、適宜のタイミングで警備会社の作業者によって入金機１８から取り外されて入金室１１から持ち出され、警備会社の各地区毎に設置された現金収集センタに運ばれる。そして、各現金収集センタでは、現金カセット２０を別途のキーで操作して貨幣を取り出し、貨幣を精算処理して金融機関の該当顧客の口座に入金することになる。なお、現金カセット２０を入金機１８から取り外す際に作業者は空の現金カセット２０を代わりに装填することになる。
【００３０】
すべてのカセット装填部２１には、それぞれが設けられた入金機１８の入金機ＩＤ情報と関連づけして、他のカセット装填部２１と識別するための個別の装填部ＩＤ情報（具体的には入金機識別番号の枝番としての装填部識別番号）が設定されている。
【００３１】
すべての現金カセット２０には、他の現金カセット２０と識別するための個別の監視用カセットＩＤ情報（具体的にはＲＦＩＤ番号）を有するＲＦＩＤ（Radio Frequency Identification）インレット２３がそれぞれ一つずつ取り付けられている。ＲＦＩＤインレット２３は、図２に示すように、監視用カセットＩＤ情報を記憶するＩＣチップ２３ａと、所定の電波を受信することで起電力を発生させてＩＣチップ２３ａを駆動するとともに、駆動したＩＣチップ２３ａからの監視用カセットＩＤ情報を無線で送信するコイルからなるアンテナ２３ｂとを備えている。
【００３２】
図１に示すように、入金室１１内のすべての入金機１８のすべてのカセット装填部２１には、それぞれに一つずつ装填される現金カセット２０のＲＦＩＤインレット２３を所定の電波で駆動してそのＩＣチップ２３ａに記憶されたデータのみを無線で読み取る個別の装填部ＲＦＩＤリーダ２５が設けられている。各入金機１８には、入金処理を制御する制御部２７が設けられており、各制御部２７は、それぞれが設けられた入金機１８への金種別の入金データ、それぞれが設けられた入金機１８のすべての現金カセット２０の収納量の計数値、同じ機内の装填部ＲＦＩＤリーダ２５で読み取った監視用カセットＩＤ情報等が入力されるようになっている。そして、各制御部２７は、現金カセット２０の収納量の計数値から各現金カセット２０の満杯を検出するようになっている。なお、計数値ではなく、各現金カセット２０の満杯を貨幣で遮光されることで検出する光学的な満杯センサを設けて満杯を検出しても良く、両方の組み合わせで満杯を検出しても良い。
【００３３】
そして、すべての入金機１８の制御部２７は、入金室１１に設置されたパーソナルコンピュータからなる管理機３０に通信可能に接続されており、すべての入金機１８の入金処理による入金データや、すべての入金機１８のすべての現金カセット２０の収納量データ、装填部ＲＦＩＤリーダ２５で読み取った監視用カセットＩＤ情報等を管理機３０に送信するようになっている。
【００３４】
入金室１１の出入口１３の近傍には、仕切壁１２ｅと側壁１２ｂとでゲート３３が形成されており、入金室１１に入室する人は出入口１３からこのゲート３３を必ず通ることになり、入金室１１から退室する人はこのゲート３３を必ず通って出入口１３から出ることになる。このゲート３３には、ゲート３３を通るＲＦＩＤインレット２３を所定の電波で駆動してそのＩＣチップ２３ａに記憶されたＩＤ情報を無線で読み取るゲート用ＲＦＩＤリーダ３４が設けられている。ここでは、ゲート用ＲＦＩＤリーダ３４が、出入口１３に対する人の入出方向に沿って間隔をあけて複数配置されている。
【００３５】
図３に示すように、上記した管理機３０は、持ち出し作業者Ｗよりも上位の管理者Ｍによる操作入力が行われるキーボード３７ａおよびカードリーダ３７ｂ（認証手段）を含む操作部３７と、操作者に対し表示を行う表示部３８と、すべての入金機１８の入金データ等を記憶する記憶部（記憶手段）３９と、これらを制御する制御部（制御手段）４０とを有している。この管理機３０の制御部４０には、上記したドアロック装置１５およびゲート用ＲＦＩＤリーダ３４が接続されるとともに、警報を発生する警報装置（警報手段）４１と、作業者登録用ＲＦＩＤリーダ４２とが接続されている。この作業者登録用ＲＦＩＤリーダ４２は、作業者毎に所持する、各持ち出し作業者Ｗを他の持ち出し作業者Ｗと識別するための作業者ＩＤ情報（具体的には作業者識別番号）を記憶したＲＦＩＤインレット４４を有する作業者ＩＤカード４５から、作業者ＩＤ情報を読み込むものである。
【００３６】
管理機３０は、通信制御装置４７を介して、外部または社内ＬＡＮと通信可能に接続されており、すべての入金機１８の入金処理による入金データ、すべての入金機１８のすべての現金カセット２０の収納量データ、すべての入金機１８のすべての現金カセット２０の満杯検出データを関係部署に送信するようになっている。
【００３７】
ここで、管理機３０の記憶部３９には、すべての入金機１８の入金機ＩＤ情報と、すべてのカセット装填部２１の装填部ＩＤ情報とが記憶されており、さらに、すべてのカセット装填部２１の装填部ＩＤ情報と、装填部ＩＤ情報のそれぞれに一対一で対応する装填部ＲＦＩＤリーダ２５との対応関係が記憶されている。
【００３８】
まず、営業開始前の適宜のタイミングで管理者Ｍが入金室１１に入室し、すべての入金機１８および管理機３０をそれぞれのシステムプログラムを立ち上げて待機状態とする。各入金機１８には、営業開始後に各店舗から適宜のタイミングで売上金が入金されることになる。
【００３９】
警備会社では、予め設定された回収ルートに基づく適宜のタイミング、あるいは所定台数以上の現金カセット２０で満杯が検出されて管理機３０の制御部４０から回収依頼信号が送られたタイミングで、持ち出し作業者Ｗを入金室１１に向かわせて現金カセット２０の回収を行わせることになるが、持ち出し作業者Ｗが入金室１１に入室し、現金カセット２０の持ち出しを管理者Ｍに要求すると、管理者Ｍは、待機状態にある管理機３０に対し、管理者Ｍのみが所持する管理者ＩＤカード５０を操作部３７のカードリーダ３７ｂに読み取らせる。管理機３０は、カードリーダ３７ｂで読み取った管理者ＩＤ情報（具体的には管理者識別番号）から管理者Ｍの適正な認証が行われた場合に限り、その後、入金室１１から持ち出す現金カセット２０の入力用カセットＩＤ情報の入力を許可する状態となる。つまり、記憶部３９には適正な管理者Ｍの管理者ＩＤ情報のリストが記憶されており、制御部４０は、カードリーダ３７ｂで読み取った管理者ＩＤ情報に対応する管理者ＩＤ情報が記憶部３９のリストに載っていれば管理者Ｍが適正であると認証して入力用カセットＩＤ情報の入力を許可する一方、リストに載っていなければ管理者Ｍが不適正と判断して入力用カセットＩＤ情報の入力を許可せずに、警報装置４１にアラームを発生させる。
【００４０】
管理者Ｍの適正な認証が行われると、管理者Ｍは、いずれの入金機１８のいずれのカセット装填部２１の現金カセット２０を持ち出すかを管理機３０の操作部３７に入力する。このとき、管理機３０の制御部４０が、入金室１１にあるすべての入金機１８のすべてのカセット装填部２１の現金カセット２０について、満杯を含む収納量の状況を判定し、所定の収納量以上の現金カセット２０が装填されたカセット装填部２１のみを回収対象として表示部３８に表示させることになり、これに基づいて管理者Ｍが指定入力を行う。つまり、管理者Ｍは、管理機３０の操作部３７で、回収対象の入金機１８の入金機ＩＤ情報（具体的には入金機識別番号）およびこれに関連する回収対象の装填部ＩＤ情報（具体的には入金機識別番号の枝番としての装填部識別番号）を、回収対象の持ち出す現金カセット２０の入力用カセットＩＤ情報として入力する。なお、操作部３７で自動入力の入力操作が行われると、制御部４０が、上記した回収対象のカセット装填部２１について、回収対象の入金機１８の入金機ＩＤ情報および装填部ＩＤ情報を、回収対象の持ち出す現金カセット２０の入力用カセットＩＤ情報として自動で入力する。
【００４１】
すると、管理機３０の制御部４０は、入金機ＩＤ情報および装填部ＩＤ情報の組み合わせに対し、一対一で対応する装填部ＲＦＩＤリーダ２５で、これが設けられたのと同じカセット装填部２１に装填された現金カセット２０のＲＦＩＤインレット２３から監視用カセットＩＤ情報を読み出させて、記憶部３９に記憶させる。このとき、回収対象の持ち出す現金カセット２０の入力用カセットＩＤ情報として、入金機ＩＤ情報を入力するとともに機内すべてのカセット装填部２１を指定する旨の全指定の入力操作を行うと、管理機３０は、入金機ＩＤ情報に対応する入金機１８のすべてのカセット装填部２１を回収対象として、当該入金機１８のすべてのカセット装填部２１に装填されているすべての現金カセット２０のＲＦＩＤインレット２３から装填部ＲＦＩＤリーダ２５で監視用カセットＩＤ情報を読み取らせて関連づけして記憶部３９に記憶させる。
【００４２】
その後、回収対象として入力されたカセット装填部２１から持ち出し作業者Ｗによって現金カセット２０が取り出され入金室１１から持ち出されることになるが、その際に、持ち出し作業者Ｗが現金カセット２０を持って出入口１３近傍に設けられたゲート３３を通ると、ゲート３３の複数のゲート用ＲＦＩＤリーダ３４が通過した現金カセット２０のＲＦＩＤインレット２３から監視用カセットＩＤ情報を読み取って管理機３０に出力することになる。管理機３０の制御部４０は、この読み取った監視用カセットＩＤ情報から、管理機３０に入力された入力用カセットＩＤ情報に対応する監視用カセットＩＤ情報と同じ監視用カセットＩＤ情報を確認した場合には、制御部４０は、持ち出しが適正であると判定して、この監視用カセットＩＤ情報を有する現金カセット２０が持ち出されたことを記憶部３９に記憶するとともに管理機３０を上記した待機状態に戻す。このとき、管理機３０は、ドアロック装置１５を作動させることはなく、ドア１４はロック解除状態とされ、持ち出し作業者Ｗがドア１４を開けて退室する。なお、持ち出し作業者Ｗが一度に複数台の現金カセット２０を持ち出す場合には、管理者Ｍは、複数台の現金カセット２０の入力用カセットＩＤ情報を一連の入力操作で管理機３０に入力することになり、各入力用カセットＩＤ情報について上記と同様に管理を行う。そして、入力された一連の入力用カセットＩＤ情報に対応する監視用カセットＩＤ情報がすべてゲート用ＲＦＩＤリーダ３４で読み取られると、管理機３０を上記した待機状態に戻す。
【００４３】
他方、ゲート用ＲＦＩＤリーダ３４で現金カセット２０に設けられたＲＦＩＤインレット２３の監視用カセットＩＤ情報を検出し、管理機３０に入力された入力用カセットＩＤ情報に対応する監視用カセットＩＤ情報と同じ監視用カセットＩＤ情報以外の監視用カセットＩＤ情報を確認した場合に、制御部４０が、持ち出しが不適であると判断して、警報装置４１で警報を発生させるとともに、ドアロック装置１５を作動させることになり、ドア１４はロック状態とされ、持ち出し作業者Ｗのドア１４を開けての退室を規制する。
【００４４】
具体的には、今回のシステム立ち上げ後にカードリーダ３７ｂおよび管理者ＩＤカード５０で管理者Ｍの適正な認証が行われず入力用カセットＩＤ情報の入力が許可されていない状態でいずれかの現金カセット２０のＲＦＩＤインレット２３から監視用カセットＩＤ情報をゲート用ＲＦＩＤリーダ３４が読み取った場合と、今回のシステム立ち上げ後にカードリーダ３７ｂおよび管理者ＩＤカード５０で管理者Ｍの適正な認証が行われたものの、現金カセット２０の入力用カセットＩＤ情報が管理機３０に入力されていない状態でいずれかの現金カセット２０のＲＦＩＤインレット２３から監視用カセットＩＤ情報をゲート用ＲＦＩＤリーダ３４が読み取った場合と、今回のシステム立ち上げ後にカードリーダ３７ｂおよび管理者ＩＤカード５０で管理者Ｍの適正な認証が行われ、現金カセット２０の入力用カセットＩＤ情報が管理機３０に入力された状態で、この入力用カセットＩＤ情報とは一対一で対応しない監視用カセットＩＤ情報をゲート用ＲＦＩＤリーダ３４がＲＦＩＤインレット２３から読み取った場合とについては、警報を発生させるとともにドア１４をロックする。
【００４５】
ここで、入力された入力用カセットＩＤ情報に対応しない監視用カセットＩＤ情報をゲート用ＲＦＩＤリーダ３４がＲＦＩＤインレット２３から読み取る場合としては、操作部３７に入力された入力用カセットＩＤ情報の入力を間違うとともに正しい現金カセット２０の監視用カセットＩＤ情報をＲＦＩＤインレット２３から読み取る場合と、操作部３７に入力された入力用カセットＩＤ情報が正しいものの間違った現金カセット２０の監視用カセットＩＤ情報をＲＦＩＤインレット２３から読み取る場合とがある。
【００４６】
なお、出入口１３への入出方向に沿って複数配置されたゲート用ＲＦＩＤリーダ３４による同一の監視用カセットＩＤ情報の検出のタイミングのずれによって、出入口１３側から順に検出が行われた場合には、制御部４０が現金カセット２０の持ち込みであると判断する。他方、出入口１３に対し反対側から順に検出が行われた場合には、制御部４０が現金カセット２０の持ち出しであると判断する。持ち込みであると判断した場合には、制御部４０は、上記した持ち出し時の制御はキャンセルすることになる。なお、ゲート用ＲＦＩＤリーダ３４を入出方向に沿って複数設けなくても、入金機１８に一旦装填された現金カセット２０のＲＦＩＤインレット２３の監視用カセットＩＤ情報を入金室１１から持ち出されるまで記憶しておけば、持ち込みか持ち出しかを判断できる。つまり、入金機１８への装填が記憶されていない監視用カセットＩＤ情報をゲート用ＲＦＩＤリーダ３４で読み取った場合には、すべて持ち込みの現金カセット２０と判断し、入金機１８への装填が記憶された持ち出し前の監視用カセットＩＤ情報をゲート用ＲＦＩＤリーダ３４で読み取った場合には、すべて持ち出しの現金カセット２０と判断すればよい。
【００４７】
以上に述べた本実施形態の現金カセット監視システムによれば、所定のエリアである入金室１１内に設置された複数の入金機１８の中から所定の現金カセット２０を持ち出すに当たって、持ち出すべき所定の現金カセット２０の入力用カセットＩＤ情報を管理機３０に入力する。つまり、管理機３０の操作部３７に、入金機ＩＤ情報およびこれに関連する装填部ＩＤ情報を入力する。すると、管理機３０の制御部４０が、これら入金機ＩＤ情報および装填部ＩＤ情報の組み合わせに対し一対一で対応する装填部ＲＦＩＤリーダ２５でこれが設けられたのと同じカセット装填部２１に装填された現金カセット２０のＲＦＩＤインレット２３から監視用カセットＩＤ情報を読み出させる。そして、その後、現金カセット２０を持ち出そうとゲート用ＲＦＩＤリーダ３４に近づくと、持ち出そうとした現金カセット２０の監視用カセットＩＤ情報をＲＦＩＤインレット２３からゲート用ＲＦＩＤリーダ３４が読み取る。管理機３０の制御部４０は、ゲート用ＲＦＩＤリーダ３４で検出したＲＦＩＤインレット２３の監視用カセットＩＤ情報から、事前に管理機３０に入力された入力用カセットＩＤ情報に対応しない監視用カセットＩＤ情報を確認した場合に、ドアロック装置１５でドア１４をロック状態とする一方、ゲート用ＲＦＩＤリーダ３４で検出した監視用カセットＩＤ情報から、事前に管理機３０の操作部３７に入力された入力用カセットＩＤ情報に対応する監視用カセットＩＤ情報を確認した場合に、ドアロック装置１５でドア１４をロック解除状態とする。このように出入口１３のドア１４をロックして、管理機３０に入力された入力用カセットＩＤ情報に対応する監視用カセットＩＤ情報を有する現金カセット２０ではない現金カセット２０の持ち出しを規制することになる。したがって、複数の入金機１８から選択的に現金カセット２０を持ち出す際に、入力された管理データと整合しない状態で現金カセット２０がエリアから持ち出されることを防止できる。
【００４８】
また、管理機３０の制御部４０は、ゲート用ＲＦＩＤリーダ３４で検出したＲＦＩＤインレット２３の監視用カセットＩＤ情報から、操作部３７への入力に基づいて制御部４０に装填部ＲＦＩＤリーダ２５から入力された入力用カセットＩＤ情報に対応しない監視用カセットＩＤ情報を確認した場合に、警報装置４１に警報を発生させるため、入力された管理データと整合しない状態で現金カセット２０を持ち出そうとしていることを、警報でも知らせることができる。
【００４９】
加えて、管理機３０はカードリーダ３７ｂで適正な認証が行われた場合に限り、持ち出す現金カセット２０の入力用カセットＩＤ情報の入力を許可するため、カードリーダ３７ｂで適正な認証が行われない場合にはいずれの現金カセット２０も持ち出し不可となる。これにより、持ち出し作業者Ｗよりも上位の管理者Ｍの管理者ＩＤカード５０のカードリーダ３７ｂによる認証を義務づけることで、現金カセット２０の持ち出しの管理者Ｍによるチェックが可能となる。
【００５０】
さらに、ゲート用ＲＦＩＤリーダ３４が、出入口１３への入出方向に沿って複数配置されているため、現金カセット２０の持ち出しであるか持ち込みであるか、移動方向がわかり、持ち出し時にのみ上記した持ち出しの監視制御を行うことができる。
【００５１】
加えて、入力用カセットＩＤ情報として現金カセット２０を取り出す入金機１８の個別の入金機ＩＤ情報と全指定の選択が入力されると、この入金機ＩＤ情報を有する入金機１８のカセット装填部２１に設けられた装填部ＲＦＩＤリーダ２５が、この入金機１８に装填されているすべての現金カセット２０のＲＦＩＤインレット２３から監視用カセットＩＤ情報を読み取ることになり、入金機１８はこの監視用カセットＩＤ情報を管理機３０に送信する。よって、入力用カセットＩＤ情報と監視用カセットＩＤ情報とが予め関連づけられていなくても、管理機３０に入金機ＩＤ情報を入力すれば、この入金機ＩＤ情報を有する入金機１８に装填されたすべての現金カセット２０の監視用カセットＩＤ情報を自動的に入力用カセットＩＤ情報として入力することができる。したがって、入金機ＩＤ情報を入力すれば良いため、入力作業が容易となる。
【００５２】
なお、持ち出し作業者Ｗを他の持ち出し作業者Ｗと識別する作業者ＩＤ情報（具体的には作業者識別番号）を記憶したＲＦＩＤインレット４４を設けた作業者ＩＤカード４５を持ち出し作業者Ｗに付帯させる場合に、管理機３０は、現金カセット２０の持ち出し時にゲート用ＲＦＩＤリーダ３４でゲート３３を通る現金カセット２０のＲＦＩＤインレット２３から監視用カセットＩＤ情報を読み取って持ち出しが適正であると判断したときに、ゲート３３を通る持ち出し作業者ＷのＲＦＩＤインレット４４から作業者ＩＤ情報をも読み取るようにして、管理機３０の制御部４０が、監視用カセットＩＤ情報に、その読み取りに関連して読み取った作業者ＩＤ情報を関連付けして記憶部３９に記憶するようにしても良い。この場合、制御部４０は、例えばゲート用ＲＦＩＤリーダ３４での監視用カセットＩＤ情報の読み取り時刻と、これと所定の時間差内で初めてゲート用ＲＦＩＤリーダ３４で読み取った作業者ＩＤ情報とを互いに関連する情報と判断する。
【００５３】
このように構成すれば、ゲート用ＲＦＩＤリーダ３４でＲＦＩＤインレット２３から監視用カセットＩＤ情報を読み取った場合に、記憶部３９が、この監視用カセットＩＤ情報に、監視用カセットＩＤ情報の読み取りに関連してＲＦＩＤインレット４４から読み取った作業者ＩＤ情報を関連付けして記憶するため、持ち出し作業者Ｗを自動的に記憶できる。
【００５４】
また、管理機３０の制御部４０は、現金カセット２０の持ち出し時にゲート用ＲＦＩＤリーダ３４で監視用カセットＩＤ情報を読み取って持ち出しが適正であると判断したときであっても、この監視用カセットＩＤ情報の読み取りに関連してゲート用ＲＦＩＤリーダ３４で作業者ＩＤ情報を読み取れない場合に、持ち出しの最終判断を不適として、警報装置４１に警報を発生させるとともに、ドアロック装置１５でドア１４をロック状態としても良い。
【００５５】
このように構成すれば、ゲート用ＲＦＩＤリーダ３４でＲＦＩＤインレット２３から監視用カセットＩＤ情報を読み取った場合に、管理機３０の制御部４０が、この監視用カセットＩＤ情報の読み取りに関連してゲート用ＲＦＩＤリーダ３４でＲＦＩＤインレット４４の作業者ＩＤ情報を読み取れない場合に、ドアロック装置１５でドア１４をロック状態とするため、持ち出し作業者Ｗが認識できない場合の現金カセット２０の持ち出しを規制できる。
【００５６】
同様に、持ち出し作業者Ｗを他の持ち出し作業者Ｗと識別する作業者ＩＤ情報を記憶したＲＦＩＤインレット４４を設けた作業者ＩＤカード４５を持ち出し作業者Ｗに付帯させる場合に、入力用カセットＩＤ情報の操作部３７を介しての入力時に、作業者登録用ＲＦＩＤリーダ４２で持ち出し作業者Ｗの作業者ＩＤ情報をＲＦＩＤインレット４４から読み取るようにしても良い。この場合、管理機３０の制御部４０は、入力用カセットＩＤ情報に対応する監視用カセットＩＤ情報と、入力用カセットＩＤ情報の入力に関連して作業者登録用ＲＦＩＤリーダ４２で読み取られた作業者ＩＤ情報とを関連付けして事前登録として記憶部３９に記憶することになる。制御部４０は、例えば一連の操作で操作部３７へ入力された入力用カセットＩＤ情報と作業者登録用ＲＦＩＤリーダ４２で読み取った作業者ＩＤ情報とを互いに関連する情報と判断する。
【００５７】
そして、管理機３０の制御部４０は、上記のように入力時に関連づけして記憶部３９に事前登録した現金カセット２０の監視用カセットＩＤ情報と持ち出し作業者Ｗの作業者ＩＤ情報とに対し、その後、ゲート用ＲＦＩＤリーダ３４で読み取ったＲＦＩＤインレット２３の監視用カセットＩＤ情報と、監視用カセットＩＤ情報の読み取りに関連してゲート用ＲＦＩＤリーダ３４で読み取ったＲＦＩＤインレット４４の作業者ＩＤ情報との組み合わせが、上記した事前登録した内容と対応しない場合に、持ち出しの最終判断を不適として、警報装置４１に警報を発生させるとともに、ドアロック装置１５でドア１４をロック状態とするようにしても良い。つまり、事前登録された監視用カセットＩＤ情報および作業者ＩＤ情報の組み合わせと、少なくともいずれか一方のＩＤ情報が対応しなければ、持ち出しの最終判断を不適として、警報を発生させるとともにドア１４をロック状態とする。この場合、制御部４０は、例えばゲート用ＲＦＩＤリーダ３４での監視用カセットＩＤ情報の読み取り時刻と、これと所定の時間差内で初めてゲート用ＲＦＩＤリーダ３４で読み取った作業者ＩＤ情報とを互いに関連する情報と判断する。
【００５８】
このように構成すれば、ゲート用ＲＦＩＤリーダ３４で監視用カセットＩＤ情報を読み取った場合に、この監視用カセットＩＤ情報と、この監視用カセットＩＤ情報の読み取りに関連してゲート用ＲＦＩＤリーダ３４で読み取った作業者ＩＤ情報との組み合わせが事前登録した内容と対応しない場合に、制御部４０が、ドアロック装置１５でドア１４をロック状態とするため、事前登録した内容と対応しない場合の持ち出しを規制できる。
しかも、ゲート用ＲＦＩＤリーダ３４で監視用カセットＩＤ情報を読み取った場合に、この監視用カセットＩＤ情報と、この監視用カセットＩＤ情報の読み取りに関連してゲート用ＲＦＩＤリーダ３４で読み取った作業者ＩＤ情報との組み合わせが事前登録した内容と対応しない場合に、制御部４０が、警報装置４１に警報を発生させるため、警報でも知らせることができる。
【００５９】
なお、管理者Ｍを認証する手段として、管理者ＩＤカード５０およびカードリーダ３７ｂの組み合わせにかえて、指紋認証、掌認証、その他の生体認証用ユニットを用いても良い。
【００６０】
また、入金機は、入金処理機能を有していれば良く、例えば、釣銭用の準備金の支払いや両替が可能な入出金機であっても良い。また、一台の入金機に着脱可能に設けられる現金カセットは一つ以上であれば良い。
【図面の簡単な説明】
【００６１】
【図１】本発明の一実施形態の現金カセット監視システムを示すブロック図である。
【図２】本発明の一実施形態の現金カセット監視システムにおけるＲＦＩＤインレットを示すブロック図である。
【図３】本発明の一実施形態の現金カセット監視システムにおける管理機およびその周辺を示すブロック図である。
【符号の説明】
【００６２】
１１  入金室（所定のエリア）
１３  出入口
１４  ドア
１５  ドアロック装置（ドアロック手段）
２０  現金カセット
２１  カセット装填部
２３  ＲＦＩＤインレット
２５  装填部用ＲＦＩＤリーダ
３０  管理機
３４  ゲート用ＲＦＩＤリーダ
３７ｂ  カードリーダ（認証手段）
３９  記憶部（記憶手段）
４０  制御部（制御手段）
４１  警報装置（警報手段）
４２  登録用ＲＦＩＤリーダ
４４  ＲＦＩＤインレット
４５  作業者ＩＤカード
【図１】
0004823773.tif 000002
【図２】
0004823773.tif 000003
【図３】
0004823773.tif 000004